(57)【要約】【課題】複数の利用者が携帯端末を所持している場合に、他の利用者に不快感を与えないように大型表示装置による画像閲覧を可能とする画像閲覧システムを提供する。【解決手段】本発明の画像閲覧システム１は、記憶部１２１と、利用者により選択された画像を表示させるための入力を受け付ける入力受付部１２３と、選択された画像を大型表示装置に表示させるための第一指示を行う表示指示部１２２と有する複数の携帯端末１０４〜１０６と、大型ディスプレイ１１１と、調停端末を決定する調停端末決定部１１２と、大型ディスプレイに指示に基づく画像を表示させる第一表示制御部１１４とを有する大型表示装置１０１とを備え、調停端末の表示指示部１２２は、さらに、第一指示による画像の表示を第一表示制御部に行わせるか否かを決定し、決定した結果に従った表示を行わせるための第二指示を大型表示装置に対して行う。【選択図】図２
2014030178.tif 000002
【特許請求の範囲】
【請求項１】
ネットワークによって互いに接続される大型表示装置と、複数の携帯端末とで構成される画像閲覧システムであって、
前記複数の携帯端末のそれぞれは、
画像データを記憶している記憶部と、
前記画像データのうちで利用者により選択された前記画像データが示す画像を前記大型表示装置において表示させるための予め定められた入力を受け付ける入力受付部と、
前記入力受付部によって受け付けられた入力に基づいて、前記利用者により選択された画像データが示す画像の表示を前記大型表示装置に表示させるための第一指示を前記大型表示装置に対して行う表示指示部と、
を有し、
前記大型表示装置は、
大型ディスプレイと、
前記複数の携帯端末のうちの一つを調停端末として決定する調停端末決定部と、
前記大型ディスプレイに、前記表示指示部による指示に基づく画像を表示させる第一表示制御部と、
を有し、
前記複数の携帯端末のうち前記調停端末決定部により前記調停端末として決定された一つの携帯端末の表示指示部は、さらに、前記複数の携帯端末の前記表示指示部による前記第一指示を受け付けて、受け付けた第一指示による前記画像の表示を前記第一表示制御部に行わせるか否かを決定し、決定した結果に従った画像の表示を前記第一表示制御部に行わせるための第二指示を前記大型表示装置に対して行い、
前記大型表示装置の前記第一表示制御部は、前記調停端末からの前記第一指示に基づく第一画像を前記大型ディスプレイに表示させ、前記調停端末以外の前記複数の携帯端末からの前記第一指示に基づく第二画像を前記第一画像が表示される第一サイズよりも小さい第二サイズで前記大型ディスプレイに表示させる
画像閲覧システム。
【請求項２】
前記大型表示装置の前記第一表示制御部は、前記第二指示を前記調停端末から受け付けた場合、当該第二指示に基づいて、前記第二サイズで前記大型ディスプレイに表示されている前記第二画像を前記第一サイズで前記大型ディスプレイに表示させる
請求項１に記載の画像閲覧システム。
【請求項３】
前記調停端末決定部は、前記複数の携帯端末のうちで、前記ネットワークに対する接続状況が予め定められた条件を満たす一つの携帯端末を、前記調停端末として決定する
請求項１または２に記載の画像閲覧システム。
【請求項４】
前記携帯端末のそれぞれは、さらに、
小型ディスプレイと、
前記小型ディスプレイに表示する内容を制御する第二表示制御部と、
を有し、
前記調停端末として決定された一つの携帯端末の前記第二表示制御部は、前記調停端末として決定された一つの携帯端末の表示指示部が前記複数の携帯端末の表示指示部から前記第一指示を受け付けた場合、当該第一指示を受け付けたことを示す表示を、前記調停端末として決定された一つの携帯端末の前記小型ディスプレイに表示させる
請求項１から３のいずれか１項に記載の画像閲覧システム。
【請求項５】
前記大型表示装置は、さらに、
前記複数の携帯端末の前記表示指示部による前記第一指示を受け付ける表示指示受付部を有し、
前記第一表示制御部は、前記表示指示受付部により受け付けられた第一指示を示す表示を当該大型表示装置の前記大型ディスプレイに表示させる
請求項１から４のいずれか１項に記載の画像閲覧システム。
【請求項６】
前記入力受付部は、前記予め定められた入力としてジェスチャ入力を受け付け、
前記表示指示部は、前記入力受付部が前記ジェスチャ入力を受け付けたときに、当該ジェスチャ入力の対象となった画像データが示す画像を表示させるための指示を前記第一指示として前記大型表示装置に対して行う
請求項４に記載の画像閲覧システム。
【請求項７】
前記入力受付部は、前記ジェスチャ入力としてフリック入力を受け付ける
請求項６に記載の画像閲覧システム。
【請求項８】
前記複数の携帯端末は、さらに、
前記入力受付部により受け付けられたフリック入力の方向が、前記携帯端末から前記大型表示装置へ向けた方向であるか否かを判定する方向判定部を有し、
前記表示指示部は、前記方向判定部により前記フリック入力が前記携帯端末から前記大型表示装置へ向けた方向であると判定された場合、当該フリック入力の対象となった画像データが示す画像を表示させるための指示を前記第一指示として前記大型表示装置に対して行う
請求項７に記載の画像閲覧システム。
【請求項９】
前記表示指示部は、前記入力受付部により受け付けられたジェスチャ入力が、前記画像データを示す画像に対する第一所定距離以上のドラッグである場合に、当該ジェスチャ入力の対象となった画像データが示す画像を表示させるための指示を前記第一指示として前記大型表示装置に対して行う
請求項６に記載の画像閲覧システム。
【請求項１０】
前記第二表示制御部は、
前記入力受付部により受け付けられたジェスチャ入力が、前記画像データを示す画像に対する前記第一所定距離以上のドラッグである場合に、当該画像を当該ドラッグの方向に向けて移動させる表示を前記小型ディスプレイに行わせ、
前記入力受付部により受け付けられたジェスチャ入力が、前記画像データを示す画像に対する前記第一所定距離未満のドラッグである場合に、当該画像を元の位置に移動させる表示を前記小型ディスプレイに行わせる
請求項９に記載の画像閲覧システム。
【請求項１１】
前記第二表示制御部は、前記大型表示装置が複数ある場合であって、前記入力受付部により受け付けられたジェスチャ入力が、前記画像データを示す画像に対する前記第一所定距離よりも短い第二所定距離のドラッグである場合に、前記複数の大型表示装置のそれぞれに対応する複数のアイコンを前記小型ディスプレイに表示させ、
前記表示指示部は、前記複数のアイコンのうち当該ドラッグの終了位置に対応するアイコンが示す前記大型表示装置に対して、当該画像データを示す画像の表示の指示を前記第一指示として行う
請求項９に記載の画像閲覧システム。
【請求項１２】
前記第一表示制御部は、前記複数の携帯端末のうちの少なくとも一つの携帯端末の前記表示指示部が行った前記第一指示による画像の表示を、当該第一指示を行った携帯端末を特定できる情報の表示とともに行わせる
請求項１から１１のいずれか１項に記載の画像閲覧システム。
【請求項１３】
前記大型表示装置は、さらに、テレビ放送を受信可能な放送受信部を有し、
前記第一表示制御部は、前記放送受信部により受信されたテレビ放送を前記大型ディスプレイに表示させている場合において、前記複数の携帯端末のいずれかから前記第一指示を受け付けたときに、当該第一指示による画像を前記大型ディスプレイに表示させる
請求項１から１２のいずれか１項に記載の画像閲覧システム。
【請求項１４】
請求項１に記載の画像閲覧システムの複数の携帯端末のうちの一つの調停端末であって、
前記調停端末の表示指示部は、さらに、前記複数の携帯端末の前記表示指示部による前記第一指示を受け付けて、受け付けた第一指示による前記画像の表示を前記大型表示装置に行わせるか否かを決定し、決定した結果に従った画像の表示を前記大型表示装置に行わせるための第二指示を前記大型表示装置に対して行う
調停端末。
【請求項１５】
請求項１に記載の画像閲覧システムを用いた画像閲覧方法であって、
前記画像データのうちで利用者により選択された前記画像データが示す画像を前記大型表示装置において表示させるための予め定められた入力を受け付ける入力受付ステップと、
前記入力受付ステップにおいて受け付けられた入力に基づいて、前記利用者により選択された画像データが示す画像の表示を前記大型表示装置に表示させるための第一指示を前記大型表示装置に対して行う表示指示ステップと、
前記複数の携帯端末のうちの一つを調停端末として決定する調停端末決定ステップと、
前記複数の携帯端末のうち前記調停端末決定ステップにおいて前記調停端末として決定された一つの携帯端末が、前記表示指示ステップにおいて行われた前記第一指示を受け付けて、受け付けた第一指示による前記画像の表示を前記大型表示装置に行わせるか否かを決定する表示決定ステップと、
前記調停端末からの前記第一指示に基づく第一画像を前記大型ディスプレイに表示させ、前記調停端末以外の前記複数の携帯端末からの前記第一指示に基づく第二画像を前記第一画像が表示される第一サイズよりも小さい第二サイズで前記大型ディスプレイに表示させる表示制御ステップと、を含む
画像閲覧方法。
【請求項１６】
請求項１４に記載の調停端末による調停方法であって、
前記複数の携帯端末の前記表示指示部による前記第一指示を受け付けて、受け付けた第一指示による前記画像の表示を前記大型表示装置に行わせるか否かを決定する表示決定ステップと、
前記表示決定ステップにおいて前記大型表示装置に行わせると決定した前記画像を、前記大型ディスプレイに表示させる表示制御ステップと、を含む
調停方法。
【発明の詳細な説明】
【技術分野】
【０００１】
本発明は、小型端末に保存されている画像を大型表示装置に表示させる画像閲覧システム、調停端末、画像閲覧方法および調停方法に関する。
【背景技術】
【０００２】
近年、いわゆるスマートフォンと呼ばれる携帯端末が非常に普及してきた。スマートフォンは、単なる電話機能を有するだけではなく、カメラによる撮影や画像の鑑賞など、従来、パソコン等で行われてきたことができ、このようなパソコン等で行われてきたことがすべてスマートフォン上で行われる風潮となった。
【０００３】
従来、デジタル画像の撮影および鑑賞においては、利用者は、デジタル画像の撮影をデジタルカメラで行い、撮影されたデジタル画像の鑑賞をパソコンのディスプレイで行っていた。しかし、大きなディスプレイと高性能カメラとを併せ持つスマートフォンでは、撮影および鑑賞の両方をスマートフォン一台で行うことができる。このようなスマートフォンの利用形態では、デジタル画像をカメラからパソコンへ移し換える動作が必要ないため、その手軽さが支持され、多くの人がスマートフォンによるデジタル画像の撮影および鑑賞を実施するようになった。
【０００４】
また、特許文献１に記載されているように、ジェスチャ入力により、携帯端末上のコンテンツをテレビ画面で表示することが可能となっている。
【先行技術文献】
【特許文献】
【０００５】
【特許文献１】特許第４３３２７０７号公報
【発明の概要】
【発明が解決しようとする課題】
【０００６】
しかしながら、スマートフォンによるデジタル写真の閲覧の方法は、複数人で写真を閲覧する際には、画面が小さいため最適ではない。
【０００７】
本発明は、前記課題を解決し、複数の利用者のそれぞれがスマートフォンを所持している場合に、他の利用者に不快感を与えることなく、大型テレビを利用した画像閲覧を可能とするデジタル画像閲覧システムを提供することにある。
【課題を解決するための手段】
【０００８】
上記目的を達成するために、本発明の一態様に係る画像閲覧システムは、ネットワークによって互いに接続される大型表示装置と、複数の携帯端末とで構成される画像閲覧システムであって、前記複数の携帯端末のそれぞれは、画像データを記憶している記憶部と、前記画像データのうちで利用者により選択された前記画像データが示す画像を前記大型表示装置において表示させるための予め定められた入力を受け付ける入力受付部と、前記入力受付部によって受け付けられた入力に基づいて、前記利用者により選択された画像データが示す画像の表示を前記大型表示装置に表示させるための第一指示を前記大型表示装置に対して行う表示指示部と、を有し、前記大型表示装置は、大型ディスプレイと、前記複数の携帯端末のうちの一つを調停端末として決定する調停端末決定部と、前記大型ディスプレイに、前記表示指示部による指示に基づく画像を表示させる第一表示制御部と、を有し、前記複数の携帯端末のうち前記調停端末決定部により前記調停端末として決定された一つの携帯端末の表示指示部は、さらに、前記複数の携帯端末の前記表示指示部による前記第一指示を受け付けて、受け付けた第一指示による前記画像の表示を前記第一表示制御部に行わせるか否かを決定し、決定した結果に従った画像の表示を前記第一表示制御部に行わせるための第二指示を前記大型表示装置に対して行い、前記大型表示装置の前記第一表示制御部は、前記調停端末からの前記第一指示に基づく第一画像を前記大型ディスプレイに表示させ、前記調停端末以外の前記複数の携帯端末からの前記第一指示に基づく第二画像を前記第一画像が表示される第一サイズよりも小さい第二サイズで前記大型ディスプレイに表示させる。
【０００９】
これによれば、複数の携帯端末を持ち込み、容易にネットワークに接続し、さらに、他人に見せたい画像を見つけた場合、大型表示装置を用いて複数人で閲覧できる状態にすることができる。そして、その際、個々の携帯端末では、他の利用者のことを気にすることなく、いつでも大型表示装置を用いた表示の第一指示を発信することができる。調停端末として決定された携帯端末は、第一指示のうちで表示させたい画像を決定し、次に大型ディスプレイに、例えば全画面表示するべき画像データを選択できる。このため、円滑に複数の携帯端末に格納された画像データを複数人で閲覧することができるという格別の効果を奏する。
【００１０】
なお、これらの全般的または具体的な態様は、方法で実現されてもよい。
【発明の効果】
【００１１】
本発明の画像閲覧システム、調停端末、画像閲覧方法および調停方法によれば、複数の利用者のそれぞれがスマートフォンを所持している場合に、他の利用者に不快感を与えることなく、大型テレビを利用した画像閲覧を可能とし、複数の小型端末に格納された画像データを複数人で円滑に閲覧することができる。
【図面の簡単な説明】
【００１２】
【図１】図１は、第１の実施の形態における画像閲覧システムを示す図である。
【図２】図２は、第１の実施の形態における画像閲覧システムの機能ブロック図である。
【図３】図３は、図１のような構成でネットワーク接続された携帯端末における、大型表示装置を利用した画像データ閲覧の方法を示す図である。
【図４】図４は、画像閲覧方法において大型表示装置で行われる処理を示すフローチャートである。
【図５】図５は、画像閲覧方法において複数の携帯端末のそれぞれで行われる処理を示すフローチャートである。
【図６】図６は、第２の実施の形態における画像閲覧システムにおける、携帯端末の操作方法を示したものである。
【図７】図７は、図６で示した、大型表示装置での表示の第一指示を示すジェスチャ入力であるフリック入力を、第一携帯端末において、ドラッグで行うことを示す図である。
【図８】図８は、第３の実施の形態における画像閲覧システムにおける、携帯端末の操作方法を示す図である。
【図９】図９は、第３の実施の形態における画像閲覧システムの機能ブロック図である。
【図１０】図１０は、第４の実施の形態における画像閲覧システムにおける、携帯端末の操作方法を示す図である。
【図１１】図１１は、第５の実施の形態における画像閲覧システムにおける、小型端末の操作方法を示す図である。
【図１２】図１２は、第６の実施の形態における画像閲覧システムの機能ブロック図である。
【図１３】図１３は、第７の実施の形態における画像閲覧システムにおける、大型ディスプレイに表示させるアプリケーションのアイコンを示す図である。
【発明を実施するための形態】
【００１３】
（本発明に至った知見）
パーティなどで複数人が集まって写真を閲覧するようなときは、スマートフォンではなく、大画面テレビに画像を表示させて閲覧することが考えられる。例えば、アップル  インコーポレイテッドから発売されたＡｐｐｌｅ  ＴＶ（登録商標）およびｉＰｈｏｎｅ（登録商標）では、携帯端末（ｉＰｈｏｎｅ）の中に保存されたデジタル画像を、Ａｐｐｌｅ  ＴＶが受信して、Ａｐｐｌｅ  ＴＶがＡｐｐｌｅ  ＴＶに接続された大型テレビに表示させることができるようになっている。これにより、複数人が集まって写真を閲覧する場合は、小さい画面を有する携帯端末ではなく、大きい画面を有する大型ＴＶで画像を閲覧できる。
【００１４】
しかしながら、前記した従来技術では、複数の利用者のそれぞれがスマートフォンを所有している場合において、複数の利用者のそれぞれがスマートフォンの中に保存されたデジタル画像を大画面テレビで表示したいという状況では、うまく動作しない。例えば利用者Ａと利用者Ｂとがそれぞれ携帯端末を所有していたとする。利用者Ａが、自らが所有する携帯端末Ａに保存してある画像を大型テレビに表示し閲覧していたときに、利用者Ｂも自分の携帯端末Ｂの画像を大型テレビに表示させようとすれば、利用者Ａが表示させた自分の画像に、利用者Ｂの画像が上書きされて大型テレビに表示されてしまう。このため、利用者Ａは、自分が表示させた自分の画像の閲覧が妨げられ、不快を感じる。この場合に、利用者が二人などの少人数であれば、話し合いで大型テレビの利用を交互に行えばよいが、利用者が４，５人となると調停が困難になり、スマートフォンに保存されている画像を大型テレビに表示させることが実質的にできなくなる。
【００１５】
このような問題を解決するために、本発明の一態様に係る画像閲覧システムは、ネットワークによって互いに接続される大型表示装置と、複数の携帯端末とで構成される画像閲覧システムであって、前記複数の携帯端末のそれぞれは、画像データを記憶している記憶部と、前記画像データのうちで利用者により選択された前記画像データが示す画像を前記大型表示装置において表示させるための予め定められた入力を受け付ける入力受付部と、前記入力受付部によって受け付けられた入力に基づいて、前記利用者により選択された画像データが示す画像の表示を前記大型表示装置に表示させるための第一指示を前記大型表示装置に対して行う表示指示部と、を有し、前記大型表示装置は、大型ディスプレイと、前記複数の携帯端末のうちの一つを調停端末として決定する調停端末決定部と、前記大型ディスプレイに、前記表示指示部による指示に基づく画像を表示させる第一表示制御部と、を有し、前記複数の携帯端末のうち前記調停端末決定部により前記調停端末として決定された一つの携帯端末の表示指示部は、さらに、前記複数の携帯端末の前記表示指示部による前記第一指示を受け付けて、受け付けた第一指示による前記画像の表示を前記第一表示制御部に行わせるか否かを決定し、決定した結果に従った画像の表示を前記第一表示制御部に行わせるための第二指示を前記大型表示装置に対して行い、前記大型表示装置の前記第一表示制御部は、前記調停端末からの前記第一指示に基づく第一画像を前記大型ディスプレイに表示させ、前記調停端末以外の前記複数の携帯端末からの前記第一指示に基づく第二画像を前記第一画像が表示される第一サイズよりも小さい第二サイズで前記大型ディスプレイに表示させる。
【００１６】
これによれば、複数の携帯端末を持ち込み、容易にネットワークに接続し、さらに、他人に見せたい画像を見つけた場合、大型表示装置を用いて複数人で閲覧できる状態にすることができる。そして、その際、個々の携帯端末では、他の利用者のことを気にすることなく、いつでも大型表示装置を用いた表示の第一指示を発信することができる。調停端末として決定された携帯端末は、第一指示のうちで表示させたい画像を決定し、次に大型ディスプレイに、例えば全画面表示するべき画像データを選択できる。このため、円滑に複数の携帯端末に格納された画像データを複数人で閲覧することができるという格別の効果を奏する。
【００１７】
また、例えば、前記大型表示装置の前記第一表示制御部は、前記第二指示を前記調停端末から受け付けた場合、当該第二指示に基づいて、前記第二サイズで前記大型ディスプレイに表示されている前記第二画像を前記第一サイズで前記大型ディスプレイに表示させてもよい。
【００１８】
また、例えば、前記調停端末決定部は、前記複数の携帯端末のうちで、前記ネットワークに対する接続状況が予め定められた条件を満たす一つの携帯端末を、前記調停端末として決定してもよい。
【００１９】
また、例えば、前記携帯端末のそれぞれは、さらに、小型ディスプレイと、前記小型ディスプレイに表示する内容を制御する第二表示制御部と、を有し、前記調停端末として決定された一つの携帯端末の前記第二表示制御部は、前記調停端末として決定された一つの携帯端末の表示指示部が前記複数の携帯端末の表示指示部から前記第一指示を受け付けた場合、当該第一指示を受け付けたことを示す表示を、前記調停端末として決定された一つの携帯端末の前記小型ディスプレイに表示させてもよい。
【００２０】
また、例えば、前記大型表示装置は、さらに、前記複数の携帯端末の前記表示指示部による前記第一指示を受け付ける表示指示受付部を有し、前記第一表示制御部は、前記表示指示受付部により受け付けられた第一指示を示す表示を当該大型表示装置の前記大型ディスプレイに表示させてもよい。
【００２１】
また、例えば、前記入力受付部は、前記予め定められた入力としてジェスチャ入力を受け付け、前記表示指示部は、前記入力受付部が前記ジェスチャ入力を受け付けたときに、当該ジェスチャ入力の対象となった画像データが示す画像を表示させるための指示を前記第一指示として前記大型表示装置に対して行ってもよい。
【００２２】
また、例えば、前記入力受付部は、前記ジェスチャ入力としてフリック入力を受け付けてもよい。
【００２３】
また、例えば、前記複数の携帯端末は、さらに、前記入力受付部により受け付けられたフリック入力の方向が、前記携帯端末から前記大型表示装置へ向けた方向であるか否かを判定する方向判定部を有し、前記表示指示部は、前記方向判定部により前記フリック入力が前記携帯端末から前記大型表示装置へ向けた方向であると判定された場合、当該フリック入力の対象となった画像データが示す画像を表示させるための指示を前記第一指示として前記大型表示装置に対して行ってもよい。
【００２４】
また、例えば、前記表示指示部は、前記入力受付部により受け付けられたジェスチャ入力が、前記画像データを示す画像に対する第一所定距離以上のドラッグである場合に、当該ジェスチャ入力の対象となった画像データが示す画像を表示させるための指示を前記第一指示として前記大型表示装置に対して行ってもよい。
【００２５】
また、例えば、前記第二表示制御部は、前記入力受付部により受け付けられたジェスチャ入力が、前記画像データを示す画像に対する前記第一所定距離以上のドラッグである場合に、当該画像を当該ドラッグの方向に向けて移動させる表示を前記小型ディスプレイに行わせ、前記入力受付部により受け付けられたジェスチャ入力が、前記画像データを示す画像に対する前記第一所定距離未満のドラッグである場合に、当該画像を元の位置に移動させる表示を前記小型ディスプレイに行わせてもよい。
【００２６】
また、例えば、前記第二表示制御部は、前記大型表示装置が複数ある場合であって、前記入力受付部により受け付けられたジェスチャ入力が、前記画像データを示す画像に対する前記第一所定距離よりも短い第二所定距離のドラッグである場合に、前記複数の大型表示装置のそれぞれに対応する複数のアイコンを前記小型ディスプレイに表示させ、前記表示指示部は、前記複数のアイコンのうち当該ドラッグの終了位置に対応するアイコンが示す前記大型表示装置に対して、当該画像データを示す画像の表示の指示を前記第一指示として行ってもよい。
【００２７】
また、例えば、前記第一表示制御部は、前記複数の携帯端末のうちの少なくとも一つの携帯端末の前記表示指示部が行った前記第一指示による画像の表示を、当該第一指示を行った携帯端末を特定できる情報の表示とともに行わせてもよい。
【００２８】
また、例えば、前記大型表示装置は、さらに、テレビ放送を受信可能な放送受信部を有し、前記第一表示制御部は、前記放送受信部により受信されたテレビ放送を前記大型ディスプレイに表示させている場合において、前記複数の携帯端末のいずれかから前記第一指示を受け付けたときに、当該第一指示による画像を前記大型ディスプレイに表示させてもよい。
【００２９】
また、本発明の一態様に係る調停端末は、前記画像閲覧システムの複数の携帯端末のうちの一つの調停端末であって、前記調停端末の表示指示部は、さらに、前記複数の携帯端末の前記表示指示部による前記第一指示を受け付けて、受け付けた第一指示による前記画像の表示を前記大型表示装置に行わせるか否かを決定し、決定した結果に従った画像の表示を前記大型表示装置に行わせるための第二指示を前記大型表示装置に対して行う。
【００３０】
なお、これらの全般的または具体的な態様は、方法で実現されてもよい。
【００３１】
以下、本発明の一態様に係る画像閲覧システム、調停端末、画像閲覧方法および調停方法について、図面を参照しながら具体的に説明する。
【００３２】
なお、以下で説明する実施の形態は、いずれも本発明の一具体例を示すものである。以下の実施の形態で示される数値、形状、構成要素、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３３】
＜１．第１の実施の形態＞
本発明の一態様に係る画像閲覧システム１は、図１および図２に示すように、無線ＬＡＮステーション１０７によるネットワークによって互いに接続される大型表示装置１０１と、複数の携帯端末１０４〜１０６とで構成される。
【００３４】
図１は、第１の実施の形態における画像閲覧システムを示す図である。図２は、第１の実施の形態における画像閲覧システムの機能ブロック図である。
【００３５】
第１の実施の形態では、大型表示装置１０１は、汎用型の大型薄型テレビジョン１０２と、セットトップボックス１０３とで構成される。大型薄型テレビジョン１０２は、図２に示すように、大型ディスプレイ１１１を有する。セットトップボックス１０３は、調停端末決定部１１２と、表示指示受付部１１３と、第一表示制御部１１４とを有する。
【００３６】
大型ディスプレイ１１１は、例えば、液晶ディスプレイ、プラズマディスプレイ、有機ＥＬディスプレイなどであり、例えば据え置き型テレビの表示部である。
【００３７】
調停端末決定部１１２は、複数の携帯端末１０４〜１０６のうちの一つを調停端末として決定する。第１の実施の形態１では、調停端末決定部１１２は、第一携帯端末１０４を調停端末として決定する。なお、調停端末決定部１１２による調停端末の具体的な決定方法については、後述する。
【００３８】
表示指示受付部１１３は、複数の携帯端末１０４〜１０６の表示指示部１２２（後述参照）による第一指示を受け付ける。
【００３９】
第一表示制御部１１４は、大型ディスプレイ１１１に、複数の携帯端末１０４〜１０６の表示指示部１２２による指示に基づく画像を表示させる。また、第一表示制御部１１４は、表示指示受付部１１３により受け付けられた第一指示を示す表示を当該大型表示装置の１０１の大型ディスプレイ１１１に表示させる。
【００４０】
なお、第１の実施の形態では、大型表示装置１０１は、大型薄型テレビジョン１０２と、セットトップボックス１０３とで構成されているが、この構成に限定されるものではなく、大型薄型テレビジョン１０２の機能とセットトップボックス１０３の機能とが一体に構成される装置であってもかまわない。つまり、大型表示装置１０１は、大型ディスプレイ１１１と、調停端末決定部１１２と、表示指示受付部１１３と、第一表示制御部１１４と有していれば、単体の装置から構成されてもよいし、複数の装置を組み合わせることにより構成されてもよい。なお、大型表示装置１０１は、表示指示受付部１１３を有しているが、表示指示受付部１１３は必須の構成ではないため、省略してもよい。
【００４１】
複数の携帯端末１０４〜１０６はそれぞれ、記憶部１２１、１３１と、表示指示部１２２、１３２と、入力受付部１２３、１３３と、第二表示制御部１２４、１３４と、小型ディスプレイ１２５、１３５とを有し、利用者が主に片手で持てるサイズの携帯端末である。
【００４２】
記憶部１２１、１３１は、画像データを記憶している。記憶部１２１、１３１は、例えば、画像データを蓄積できる内蔵フラッシュメモリである。
【００４３】
表示指示部１２２、１３２は、入力受付部１２３、１３３によって受け付けられた入力に基づいて、利用者により選択された画像データが示す画像の表示を大型表示装置１０１に表示させるための第一指示を、大型表示装置に対して行う。また、複数の携帯端末１０４〜１０６のうち調停端末決定部１１２により調停端末として決定された一つの第一携帯端末１０４の表示指示部１２２は、さらに、複数の携帯端末１０４〜１０６の表示指示部１２２、１３２による第一指示を受け付ける。そして、表示指示部１２２は、受け付けた第一指示による画像の表示を第一表示制御部１１４に行わせるか否かを決定し、決定した結果に従った画像の表示を第一表示制御部１１４に行わせるための第二指示を、大型表示装置１０１に対して行う。
【００４４】
入力受付部１２３、１３３は、画像データのうちで利用者により選択された画像データが示す画像を大型表示装置１０１において表示させるための予め定められた入力を受け付ける。
【００４５】
第二表示制御部１２４、１３４は、小型ディスプレイ１２５、１３５に表示する内容を制御する。第二表示制御部１２４、１３４は、例えば、記憶部１２１、１３１に記憶されている画像データが示す画像を小型ディスプレイ１２５、１３５に表示させる。また、調停端末として決定された一つの携帯端末１０４の第二表示制御部１２４は、調停端末として決定された一つの携帯端末１０４の表示指示部１２２が複数の携帯端末１０４〜１０６の表示指示部１２２、１２３から第一指示を受け付けた場合、当該第一指示を受け付けたことを示す表示を、調停端末として決定された一つの携帯端末１０４の小型ディスプレイ１２５に表示させる。
【００４６】
小型ディスプレイ１２５、１３５は、入力受付部１２３、１３３とともに、タッチディスプレイを構成する。
【００４７】
無線ＬＡＮステーション１０７は、無線ＬＡＮ信号により、携帯端末１０４〜１０６と大型表示装置１０１とを、インターネットプロトコルによるネットワークに接続する。しかし、携帯端末１０４〜１０６と大型表示装置１０１とをネットワークに接続するための構成はこのような構成に限定されるものではなく、大型表示装置１０１と無線ＬＡＮステーション１０７とは、一体の機器としてもよい。
【００４８】
一般的に、無線ＬＡＮステーション１０７では、無線ＬＡＮステーション１０７によってネットワークに接続できる機器が限定される運用が行われる。これは、部外者にインターネット資源を無断で使用されることを防ぐためである。無線ＬＡＮステーション１０７によってネットワークに接続できる機器を限定する方法は、パスワードを利用する方法と、ＭＡＣアドレスをチェックする方法との二つがある。
【００４９】
パスワードを利用する方法は、所定のパスワードを無線ＬＡＮステーション１０７に設定し、それと同じパスワードを無線ＬＡＮステーション１０７によるネットワークに接続しようとしている接続機器が有していなければ、ネットワークへの当該接続機器による接続を拒否する方法である。ＭＡＣアドレスをチェックする方法では、すべての接続機器に固有に設定されているＭＡＣアドレスのうち、ネットワークへの接続を許可されている機器が保有するＭＡＣアドレスを無線ＬＡＮステーション１０７に保存しておき、無線ＬＡＮステーション１０７に保存されているＭＡＣアドレスが設定されている機器の接続は許可し、無線ＬＡＮステーション１０７に保存されていないＭＡＣアドレスが設定されている機器の接続は拒否する方法である。
【００５０】
いまここで、第一携帯端末１０４は、大型表示装置１０１の所有者である利用者Ａが所有する携帯端末である。第一携帯端末１０４は、既に無線ＬＡＮステーション１０７とパスワードを共有し、接続可能な状態になっているとする。以下、無線ＬＡＮステーション１０７によるネットワークを、「利用者Ａのネットワーク」とする。これ以降、前記した状態を、利用者Ａのネットワークに接続している、と表現する。そこへ、利用者Ａの友人である利用者Ｂおよび利用者Ｃが、それぞれ第二携帯端末１０５および第三携帯端末１０６を持ち込んだとする。このとき、第二携帯端末１０５および第三携帯端末１０６は、無線ＬＡＮステーション１０７とパスワードをまだ共有していないので、そのままでは利用者Ａのネットワークに接続できない。
【００５１】
第二携帯端末１０５および第三携帯端末１０６を利用者Ａのネットワークに接続するためには、パスワードを第二携帯端末１０５および第三携帯端末１０６のそれぞれに設定する必要がある。しかし、一般的にパスワードは複雑であるため、設定には手間がかかる。この手間を省く工夫として、第一携帯端末１０４と第二携帯端末１０５とを、赤外線やＢｌｕｅｔｏｏｔｈ（登録商標）などの無線接続、あるいはＵＳＢケーブルによる有線接続といった近距離通信手法を用いて一時的に接続することにより、第一携帯端末１０４から第二携帯端末１０５へパスワード情報を伝達する方法が考えられる。前記したような近距離通信手法は、携帯端末同士を近づける必要があるので、部外者がパスワードを盗用する恐れが少ない。もちろん、前記の接続によるパスワードの伝達は、第一携帯端末１０４と行うことに限らずに、大型表示装置１０１と行ってもよい。
【００５２】
またこの際、第一携帯端末１０４が第二携帯端末１０５または第三携帯端末１０６に伝達するパスワードは、第一携帯端末１０４が日常的に利用しているパスワードでなくともよく、例えば、ゲスト用のパスワードであってもよい。ゲスト用パスワードは短時間（例えば一日）で使用不可能になるように、無線ＬＡＮステーション１０７を、第二携帯端末１０５、第三携帯端末１０６などの利用者Ａ以外のゲストが所有する携帯端末が無線ＬＡＮステーション１０７への接続を設定できる仕様にしておけば、利用者Ａのネットワークに対する不正使用の恐れはより少なくできる。この場合、ゲスト用パスワードの寿命をより短時間に設定する代わりにパスワードを単純なものにすれば、上述した近距離通信手法を用いずとも、パスワード入力の手間を省くこともできる。例えば、第一携帯端末１０４に設定されている正規のパスワードは１６桁だが、ゲスト用パスワードは寿命が一時間しかなく当該パスワードによるネットワークの接続は一時間しか許可されないが、当該パスワードは４桁であり簡単に入力できる、などである。このように、ゲスト用パスワードの寿命を短時間にするに連れてパスワードの桁数を減少させることも考えられる。
【００５３】
上述では利用者Ａのネットワークへの接続の許可方法として、パスワードを設定するものとしたが、第二携帯端末１０５および第三携帯端末１０６のＭＡＣアドレスを近距離通信手法で取得することにより、無線ＬＡＮステーション１０７に対し、前記ＭＡＣアドレスの接続の許可を指定するものであってもよい。
【００５４】
図３は、図１のような構成でネットワーク接続された携帯端末における、大型表示装置を利用した画像データ閲覧の方法を示す図である。
【００５５】
第一携帯端末１０４、第二携帯端末１０５、および第三携帯端末１０６は、それぞれ、内蔵された記憶部１２１、１３１としてのメモリに格納された画像データを閲覧するアプリケーションが起動されており、無線ＬＡＮステーション１０７によるネットワークに接続されているものとする。
【００５６】
図４は、画像閲覧方法において大型表示装置１０１で行われる処理を示すフローチャートである。
【００５７】
まず、大型表示装置１０１では、表示指示受付部１１３が複数の携帯端末１０４〜１０６の表示指示部１２２、１３２による画像を表示させるための第一指示を受信したか否かを判定する（Ｓ１０１）。表示指示受付部１１３が第一指示を受信していない場合（Ｓ１０１：Ｎｏ）、ステップＳ１０１に戻る。
【００５８】
表示指示受付部１１３が第一指示を受信していた場合（Ｓ１０１：Ｙｅｓ）、画像を表示させるための第一指示を複数の携帯端末から受信したか否かを判定する（Ｓ１０２）。
【００５９】
表示指示受付部１１３が第一指示を複数の携帯端末から受信したと判定した場合（Ｓ１０２：Ｙｅｓ）、調停端末決定部１１２は、第一携帯端末１０４、第二携帯端末１０５、および第三携帯端末１０６のうちで、ネットワークに対する接続状況が予め定められた条件を満たす一つの利用者Ａが所有する第一携帯端末１０４を調停端末として決定する（Ｓ１０３）。ここでは、ネットワークに対する接続状況とは、当該ネットワークへ接続する際に入力されたパスワードの種類である。つまり、調停端末決定部１１２は、例えば第一携帯端末１０４が所有者用のパスワードを入力することにより当該ネットワークに接続されていることが予め定められた条件を満たすと判定し、予め定められた条件を満たす第一携帯端末１０４が無線ＬＡＮステーション１０７によるネットワークの所有者が所持している端末であることを判定している。もちろん、上記のような判定方法の他にも、ネットワークの接続状況を、当該ネットワークに接続される回数としてもよいし、当該ネットワークに接続された順番としてもよい。つまり、調停端末決定部１１２は、当該ネットワークに接続される回数が多い携帯端末を予め定められた条件を満たす携帯端末であると判定することにより、調停端末として決定してもよい。また、調停端末決定部１１２は、複数の携帯端末のうちで初めて当該ネットワークに接続された時が最も早い携帯端末を予め定められた条件を満たす携帯端末であると判定することにより、調停端末として決定してもよい。
【００６０】
一方で、表示指示受付部１１３が第一指示を複数の携帯端末から受信していないと判定した場合（Ｓ１０２：Ｎｏ）、第一表示制御部１１４は、受信した第一指示が示す画像を表示する（Ｓ１０７）。例えば、第一携帯端末１０４の所有者である利用者Ａが、気に入った画像データ２０１を選択することを示す入力を入力受付部１２３としてのタッチディスプレイに入力する。利用者Ａによる入力を受け付けた第一携帯端末１０４は、当該入力に基づいて、利用者Ａにより選択された画像データ２０１が示す画像２０２の表示を大型表示装置１０１に表示させるための第一指示を、大型表示装置１０１に対して行う。この場合、第一表示制御部１１４は、まだ、第一指示を１台の第一携帯端末１０４からしか受け取っていないため、第一指示が示す画像２０２の表示を大型ディスプレイ１１１に行わせる。
【００６１】
ステップＳ１０３の次に、第一表示制御部１１４は、表示指示受付部１１３が受信した第一指示に基づいて、複数の画像を大型ディスプレイ１１１に表示させるとともに、表示させた画面をミラー表示させるためのミラー表示指示を調停端末として決定された第一携帯端末１０４に送信する（Ｓ１０４）。具体的には、各携帯端末１０４〜１０６の表示指示部１２２、１３２から第一指示を表示指示受付部１１３が受け付けた場合に、第一表示制御部１１４は、例えば、最も早く受け付けた第一携帯端末１０４から受け付けた第一指示による画像データ２０１を図３に示すように画像２０２として大型ディスプレイ１１１に大きく表示させる。なお、第一表示制御部１１４は、画像２０２が第一携帯端末１０４の画像データ２０１による画像であることを示すインデックス２０８を画像２０２に重畳して表示させる。そして、第一表示制御部１１４は、２番目以降に受け付けた第二携帯端末１０５の第一指示による画像データ２０３、および、第三携帯端末１０６の第一指示による画像データ２０５を、第二携帯端末１０５および第三携帯端末１０６から第一指示を受け付けたことを示す表示であるアイコン２０４、２０６として、大型ディスプレイ１１１の画像２０２が表示されている以外の領域に、それぞれ表示させる。つまり、第一表示制御部１１４は、調停端末である第一携帯端末１０４からの第一指示に基づく第一画像（画像２０２）を大型ディスプレイ１１１に表示させ、調停端末以外の複数の携帯端末１０５、１０６からの第一指示に基づく第二画像（アイコン２０４、２０６）を第一画像（画像２０２）が表示される第一サイズよりも小さい第二サイズで大型ディスプレイ１１１に表示させる。
【００６２】
ここでは、例えば、第二携帯端末１０５の所有者である利用者Ｂが、気に入った画像データ２０３を選択し、大型表示装置１０１での表示を指示した場合である。つまり、第二携帯端末１０５は、利用者Ｂによる入力が示す第一指示により選択された画像データ２０３を大型表示装置１０１に表示させることを、大型表示装置１０１に指示する。先ほどとは違い、すでに画像２０２が大型表示装置１０１に表示されているので、第一表示制御部１１４は、画像データ２０３が示す画像を表示されている画像２０２に対して上書きして表示させることはせず、第二携帯端末１０５に保存されている画像データ２０３の表示の指示があったことを示すアイコン２０４が大型表示装置１０１の画像２０２が表示されている領域とは別の領域に表示される。上記と同様に、第三携帯端末１０６に保存されている画像データ２０５の表示の第一指示が大型表示装置１０１にあった場合には、第三携帯端末１０６に保存されている画像データ２０５の表示の指示が大型表示装置１０１にあったことを示すアイコン２０６が大型表示装置１０１の画像２０２およびアイコン２０４が表示されている領域とは別の領域に表示される。
【００６３】
なお、第一表示制御部１１４は、アイコン２０４、２０６を、画像２０２が表示されている領域とは別の領域に表示させなくてもよく、画像２０２に重ねて表示させてもよい。この場合、第一表示制御部１１４は、アイコン２０４、２０６を、画像２０２の中央を除く領域に表示させてもよいし、画像２０２の被写体の位置を判定することにより、被写体の位置を除く領域に表示させてもよい。なお、画像中の被写体の判定には、顔認識等の画像処理技術を用いてもよいし、画像中の鮮鋭度により判定してもよい。後者の場合には、鮮鋭度が高い領域に被写体が写り込んでいると判定することになる。
【００６４】
表示指示受付部１１３は、調停端末である第一携帯端末１０４から、表示している画像を変更することを示す第二指示があるか否かを確認する（Ｓ１０５）。第一携帯端末１０４から、表示している画像を変更する指示がない場合（Ｓ１０５：Ｎｏ）、ステップＳ１０５に戻る。
【００６５】
一方で、第一携帯端末１０４から、表示している画像を変更することを示す第二指示があった場合（Ｓ１０５：Ｙｅｓ）、当該第二指示に従って表示する画像を変更する（Ｓ１０６）。具体的な、表示制御については後述の携帯端末の処理フローの説明において説明する。
【００６６】
図５は、画像閲覧方法において携帯端末１０４〜１０６のそれぞれで行われる処理を示すフローチャートである。
【００６７】
まず、大型表示装置１０１からミラー表示の指示があるか否かを判定する（Ｓ２０１）。大型表示装置１０１からミラー表示の指示がない場合（Ｓ２０１：Ｎｏ）、ステップＳ２０７に進む。ステップＳ２０１では、第一指示が複数の携帯端末１０４〜１０６から大型表示装置１０１に対して行われているか否かを判定している。つまり、ミラー表示の指示は調停端末のみ行われるため、ステップＳ２０１の判定を行うことにより、ステップＳ２０１以降の処理において、調停端末における処理と、それ以外の携帯端末における処理とに分かれることになる。
【００６８】
大型表示装置１０１からミラー表示の指示がある場合（Ｓ２０１：Ｙｅｓ）、ミラー表示の指示を受信した携帯端末は、ミラー表示に移行するためのボタンを表示する（Ｓ２０２）。具体的には、図１を用いて説明したように、第一携帯端末１０４は既に利用者Ａのネットワークに接続されているので、自動的に、調停端末として決定される。そこで、表示の指示があったことを示すアイコン２０４、２０６が表示された場合（Ｓ１０４）、調停端末である第一携帯端末１０４のみの小型ディスプレイ１２５に、第二表示制御部１２４が大型表示装置１０１における表示を制御するモードへ移行するためのボタンを表示させる。
【００６９】
そして、第一携帯端末１０４では、入力受付部１２３がボタンに対する入力が行われたか否かを判定する（Ｓ２０３）。ここで、利用者が前記ボタンをタッチ（入力）すれば（Ｓ２０３：Ｙｅｓ）、大型表示装置１０１の大型ディスプレイ１１１の所定の領域（本実施の形態では、大型表示装置１０１のすべての表示領域）で表示されている画像２０７が第一携帯端末１０４の小型ディスプレイ１２５にミラー表示される（Ｓ２０４）。つまり、第二表示制御部１２４は、小型ディスプレイ１２５に表示させる画像を大型表示装置１０１の大型ディスプレイ１１１に表示されている画像のミラー表示に移行する。なお、ここでは、調停端末の小型ディスプレイ１２５に表示される画像を、大型ディスプレイ１１１に表示されている画像のミラー表示をさせるが、大型ディスプレイ１１１に表示されている複数の携帯端末から第一指示を示す表示が表示されていればミラー表示することに限るものではない。つまり、第二表示制御部１２４は、調停端末の小型ディスプレイ１２５に画像を表示させていなくてもよく、複数の携帯端末からの第一指示を示す文字情報を表示させてもよい。
【００７０】
次に、第一携帯端末１０４の入力受付部１２３に対して、画像の変更の指示を示す入力があるか否かが判定される（Ｓ２０５）。第一携帯端末１０４において、小型ディスプレイ１２５に表示されているアイコン２０４またはアイコン２０６にタッチした場合に、画像の指示を示す入力があったと判定し（Ｓ２０５：Ｙｅｓ）、表示指示部１２２により画像変更の指示が大型表示装置１０１に送信される（Ｓ２０６）。つまり、大型表示装置１０１は、第一携帯端末１０４から表示している画像を変更する第二指示を受信した場合（Ｓ１０５：Ｙｅｓ）、当該第二指示に従って大型表示装置１０１において、アイコン２０４またはアイコン２０６が示す画像が第二サイズから第一サイズで拡大表示される（Ｓ１０６）。つまり、大型表示装置１０１の第一表示制御部１１４は、第二指示を調停端末から受け付けた場合、当該第二指示に基づいて、第二サイズで大型ディスプレイ１１１に表示されている第二画像（アイコン２０４、２０６）を第二サイズよりも大きい第一サイズで大型ディスプレイ１１１に表示させる。なお、画像２０２とアイコン２０４とをダブルタッチすると、二つの画像を並べて拡大表示できるようにしてもよい。
【００７１】
このように、第１の実施の形態における画像閲覧システム１においては、複数の携帯端末１０４〜１０６を持ち込み、容易にネットワークに接続し、さらに、他人に見せたい画像を見つけた場合、大型表示装置１０１を用いて複数人で閲覧できる状態にすることができる。そして、その際、個々の携帯端末１０４〜１０６では、他の利用者のことを気にすることなく、いつでも大型表示装置１０１を用いた表示の第一指示を発信することができる。調停端末として決定された携帯端末１０４は、複数の携帯端末１０４〜１０６により行われた第一指示を承認し、次に大型ディスプレイ１１１に全画面表示するべき画像データを選択できる。このため、円滑に複数の携帯端末１０４〜１０６に格納された画像データを複数人で閲覧することができるという格別の効果を奏する。
【００７２】
なお、本発明は前記した構成に限定されるものではなく、他の構成もとることができる。例えば、ネットワークの元々の所有者である利用者Ａが所持する第一携帯端末１０４が、調停端末として決定されるとしたが、それ以外に、個々の携帯端末１０４〜１０６で、大型表示装置１０１における表示を制御するモードに移行するボタンが表示されるようにして、当該ボタンに対して入力が行われた携帯端末を、調停端末にするように適宜決定してもよい。あるいは、現在の調停端末が、次の調停端末を指定するようにしてもよい。あるいは、複数の携帯端末のうちで大型表示装置１０１にもっとも近い位置に存在する携帯端末が、調停役に指定されるようにしてもよい。
【００７３】
また、上記画像閲覧システムによって、大型ディスプレイに表示させることのできる画像データは、静止画であっても、動画であってもよい。
【００７４】
＜２．第２の実施の形態＞
図６は、第２の実施の形態における画像閲覧システム１における、携帯端末の操作方法を示す図である。第２の実施の形態では、携帯端末として第一携帯端末１０４を例にして説明する。なお、この操作方法は、調停端末であっても調停端末でなくても同じである。図中、第一携帯端末１０４は、内蔵している画像データを選択することにより当該画像データが示す画像を閲覧するためのアプリケーションが起動されている。第一携帯端末１０４では、左右方向のフリック（矢印３０１を参照）入力で表示されている画像をスクロールすることにより表示される画像の選択ができる。第２の実施の形態における画像閲覧システム１の機能構成は、図２に示した第１の実施の形態における画像閲覧システム１の構成と同じであるため、詳細な説明を省略する。
【００７５】
第１の実施の形態では特に言及していなかったが、各携帯端末１０４〜１０６の入力受付部１２３、１３３は、予め定められた入力としてジェスチャ入力を受け付ける。また、入力受付部１２３、１３３は、ジェスチャ入力としてフリック入力を受け付ける。
【００７６】
そして、各携帯端末１０４〜１０６の表示指示部１２２、１３２は、入力受付部１２３、１３３がジェスチャ入力を受け付けたときに、当該ジェスチャ入力の対象となった画像データが示す画像を表示させるための指示を第一指示として大型表示装置１０１に対して行う。また、表示指示部１２２、１３２は、入力受付部１２３、１３３により受け付けられたジェスチャ入力が、画像データを示す画像に対する第一所定距離以上のドラッグである場合に、当該ジェスチャ入力の対象となった画像データが示す画像を表示させるための指示を第一指示として大型表示装置１０１に対して行う。
【００７７】
具体的には、画像の選択のためのスクロールの方向とは異なる、縦方向のフリック入力（矢印３０２を参照）を行った場合、縦方向のフリックの対象となることにより選択された画像データが示す画像を、大型表示装置１０１で表示させるための第一指示を行ったことになる。その際、画像３０３のように、画像がフリック入力を行った先の方向へ飛んでいくようなアニメーションを第一携帯端末１０４の小型ディスプレイ１２５に表示すれば、より直感的なＵＩとなる。
【００７８】
図７は、図６で示した、大型表示装置１０１での表示の第一指示を示すジェスチャ入力であるフリック入力を、第一携帯端末１０４において、ドラッグで行うことを示す図である。ドラッグが示す入力は、選択した写真を指で押さえたまま上方向へ指を滑らせる操作である。当該入力による指の移動距離４０１が、第一所定距離に達することなく、指が離されたことを入力受付部１２３が検出した場合、第二表示制御部１２４は、画像４０２のように、画像を元の位置に移動させる表示を小型ディスプレイ１２５に行わせる。指の移動距離４０１が第一所定距離に達したことを入力受付部１２３が検出した場合、第二表示制御部１２４は、画像４０３のように、画像が飛んでいくアニメーションを小型ディスプレイ１２５に表示させると共に、当該操作が行われた第一携帯端末１０４の表示指示部１２２が大型表示装置１０１に対して当該画像４０３を表示させるための第一指示を行う。このドラッグによる入力の際、常に指の動きに合わせて画像が移動するのではなく、指の移動距離４０１が大きくなるほど、画像の移動距離が短くなるように表示させれば、画像がバネに繋がっているような感覚を利用者に与えると共に、意図しない大型表示装置１０１での表示を防止することができ、より効果的である。画像４０２のような、画像が元の位置に戻る際の動きも、バネで戻るように加速し振動すれば、より効果的である。また、画像４０３のような、画像が大型表示装置１０１に飛んでいく際の動きを、一杯に引っ張られたバネが外れることによりバネとは反対側に引っ張られたような、加速のある動きにすれば、より効果的である。
【００７９】
また、選択された画像に対するドラッグによる指の移動距離４０１が第一所定距離に達した場合に、表示指示部１２２は、第一指示を大型表示装置１０１に対して行っているが、ドラッグによる指の移動距離４０１を閾値とすることに限らない。第一指示を大型表示装置１０１に対して行うための入力条件としては、例えば、上記ドラッグのスピードが所定スピードに達した場合としてもよいし、ドラッグまたはフリックする指の本数が２本の場合としてもよいし、タッチしている指が一本の場合であってもタッチしている指の接触面積が所定面積を超えている場合または超えていない場合としてもよい。さらに、上記ドラッグのスピードが速いほど、指の移動距離４０１の閾値を小さくするように変化させ、変化させた後の閾値により判定するようにしてもよい。この場合には、例えば、ドラッグのスピードが所定スピードを超えている場合には、指の移動距離４０１は第一所定距離に達していなくても第一所定距離よりも短い第二所定距離に達していれば、表示指示部１２２は第一指示を大型表示装置１０１に行い、ドラッグのスピードが所定スピードを超えていない場合には、第一所定距離を超える距離を移動させなければ第一指示を大型表示装置１０１に行わないようにするなどが考えられる。
【００８０】
＜３．第３の実施の形態＞
図８は、第３の実施の形態における画像閲覧システム１ａにおける、携帯端末の操作方法を示す図である。図９は、第３の実施の形態における画像閲覧システムの機能ブロック図である。第３の実施の形態では、携帯端末として第一携帯端末１０４ａを例にして説明する。なお、この操作方法は、調停端末であっても調停端末でなくても同じである。第３の実施の形態の画像閲覧システム１ａでは、二つの大型表示装置１０１、５０１が、設置されていることが第１の実施の形態および第２の実施の形態の画像閲覧システム１とは異なる。また、第３の実施の形態の携帯端末１０４ａ〜１０６ａは、第１の実施の形態の携帯端末１０４〜１０６と比較して、方向判定部１２６、１３６をそれぞれ有することが異なる。なお、その他の構成については、第１の実施の形態および第２の実施の形態の画像閲覧システム１と同様であるため、その説明を省略する。また、第１の実施の形態および第２の実施の形態の画像閲覧システム１と同様の構成には、同じ符号を付している。また、大型表示装置５０１は、大型表示装置１０１の構成要素の１００番台の符号を５００番台に置き換えたものであり、大型表示装置１０１の構成と同様であるため、各構成要素の説明を省略する。
【００８１】
以下では、第１の実施の形態および第２の実施の形態の画像閲覧システム１と異なる構成および機能について説明する。
【００８２】
方向判定部１２６、１３６は、入力受付部１２３により受け付けられたフリック入力の方向が、携帯端末１０４ａ〜１０６ａから大型表示装置１０１および大型表示装置５０１のいずれへ向けた方向であるか否かを判定する。
【００８３】
表示指示部１２２、１３２は、方向判定部１２６、１３６によりフリック入力の方向の先に位置する大型表示装置（大型表示装置１０１または大型表示装置５０１）が特定された場合、当該フリック入力の対象となった画像データが示す画像を表示させるための指示を第一指示として当該フリック入力の方向の先に位置すると判定された大型表示装置に対して行う。
【００８４】
二つある大型表示装置１０１、５０１のどちらに画像の表示を指示するかを直感的に指定するため、第３の実施の形態では、第一携帯端末１０４を、表示の対象とする大型表示装置５０１が設置された方向に向け、フリックを行った場合の処理を説明する。
【００８５】
第一携帯端末１０４が大型表示装置１０１および大型表示装置５０１のどちらの方向を向いているかを判定するためには、様々な方法がある。つまり、方向判定部１２６、１３６では、次のような方法で第一携帯端末１０４が大型表示装置１０１および大型表示装置５０１のどちらの方向を向いているかを判定する。
【００８６】
例えば、大型表示装置１０１、５０１のスピーカーからそれぞれ特徴的な音声を出力し、その音声を第一携帯端末１０４のマイクロフォンで集音し、どちらの方向を向いているかを判定する方法である。この場合、出力される音声は、人間の耳では聞こえない超音波を用い、大型表示装置１０１、５０１ごとに定められた固有の周波数の音声を出力すれば、より効果的である。この場合には、集音した音声のレベルが大きいと判定された周波数を出力している大型表示装置１０１または大型表示装置５０１の方向を、第一携帯端末１０４が向いていると判定されることになる。
【００８７】
同様に、大型表示装置１０１、５０１が、それぞれ定められた固有の周波数を持つ赤外線を出力し、出力された赤外線を第一携帯端末１０４が赤外線センサで取得することで方向を判定してもよい。この場合には、取得した赤外線のゲインが大きいと判定された周波数を出力している大型表示装置１０１または大型表示装置５０１の方向を、第一携帯端末１０４が向いていると判定されることになる。
【００８８】
他にも、第一携帯端末１０４が有する地磁気センサを用いて、第一携帯端末１０４の向いている方角を推定する方法も利用できる。
【００８９】
なお、前記した実施例では、大型表示装置は２台であるとしたが、当然ながら、３台以上であってもよい。さらに、１台であってもよい。１台でも、第一携帯端末１０４が、大型表示装置の方向を向いているかどうかをチェックしてから表示の指示を受け付けることで、フリック入力のミスによる、意図しない大型表示装置における表示を防止できるという格別の効果を奏する。
【００９０】
＜４．第４の実施の形態＞
図１０は、第４の実施の形態における画像閲覧システムにおける、携帯端末の操作方法を示す図である。第４の実施の形態では、携帯端末として第一携帯端末１０４を例にして説明する。なお、この操作方法は、調停端末であっても調停端末でなくても同じである。第４の実施の形態の画像閲覧システム１ａでは、二つの大型表示装置１０１、５０１が、設置されている。第４の実施の形態の画像閲覧システム１ａの機能構成は、第３の実施の形態の画像閲覧システム１ａと同じ構成であるため、詳細な説明を省略する。ここでは、二つある大型表示装置１０１、５０１のどちらに画像の表示を指示するかを直感的に指定するため、本実施の形態では、表示の対象とする大型表示装置を選択するためのアイコンが表示される形態について説明する。
【００９１】
この場合、第二表示制御部１２４は、大型表示装置１０１、５０１が複数ある場合であって、入力受付部１２３により受け付けられたジェスチャ入力が、画像データを示す画像に対する第一所定距離よりも短い第二所定距離のドラッグである場合に、複数の大型表示装置１０１、５０１のそれぞれに対応する複数のアイコン６０１、６０２を小型ディスプレイ１２５に表示させる。
【００９２】
そして、表示指示部１２２は、複数のアイコン６０１、６０２のうち当該ドラッグの終了位置に対応するアイコンが示す大型表示装置に対して、当該画像データを示す画像の表示の指示を第一指示として行う。
【００９３】
例えば、指の移動距離４０１が第一所定距離よりも短い第二所定距離以上になる場合、第二表示制御部１２４は、複数ある大型表示装置１０１、５０１のいずれかを選択するためのアイコン６０１、６０２を第一携帯端末１０４の小型ディスプレイ１２５に表示させる。ここで、アイコン６０１は大型表示装置１０１を示すアイコンであり、アイコン６０２は大型表示装置５０１示すアイコンである。ここで利用者は、画像の表示の対象としたい大型表示装置を示すアイコンのほうへ、指を滑らせる（矢印６０３を参照）。この状態で指がアイコン（ここではアイコン６０２）に近づくと、表示指示部１２２は、複数のアイコン６０１、６０２のうち当該ドラッグの終了位置に対応するアイコン６０２が示す大型表示装置５０１に対して、当該画像データを示す画像の表示の指示を第一指示として行う。選択された大型表示装置（図１０では大型表示装置５０１）において、画像の表示が行われる。
【００９４】
アイコン６０１、６０２は、個々の大型表示装置１０１、５０１が特定できる情報が表示されることが望ましい。例えば、大型表示装置を構成する大型薄型テレビジョンの機種や、画面の大きさ（インチ数）などである。これらの情報は、大型表示装置を構成するセットトップボックスが、ＨＤＭＩ（登録商標）ケーブルを利用して大型薄型テレビジョン側と通信することで大型薄型テレビジョンから取得する。また、アイコン６０１とアイコン６０２とが小型端末Ａ１０４のタッチディスプレイに表示される領域の位置関係も、実際の大型表示装置１０１、５０１の位置関係と合致しているとより好適である。そのため、第３の実施の形態で示したような、大型表示装置１０１、５０１のそれぞれが発する固有の超音波や赤外線を小型端末Ａ１０４が取得し、大型表示装置１０１、５０１の位置関係を把握するように構成してもよい。
【００９５】
なお、前記した実施の形態では、大型表示装置は２台であるとしたが、当然ながら、３台以上であってもよい。さらに、１台であってもよい。１台でも、アイコンまで指をドラッグさせることで、ドラッグのミスによる、意図しない大型表示装置における表示を防止できるという格別の効果を奏する。
【００９６】
さらに、前記アイコン６０１、６０２は、単に大型表示装置１０１、５０１を特定する用途以外に、機能を指定するようなものであってもよい。例えば、第一携帯端末１０４が大型表示装置１０１に対して画像の表示の第一指示を行うとき、一枚の画像の表示を指示する場合とは異なり、二枚の画像を並べて表示することを指定するため、大型表示装置１０１の二枚の画像を並べて表示するための二つの表示領域に対応するように、一台の大型表示装置につき二つの表示領域ごとに二つのアイコンが表示されてもいい。
【００９７】
さらに、前記アイコン６０１、６０２は、大型表示装置１０１、５０１以外にも、同一のネットワークに接続されている、第一携帯端末１０４とは別の第二携帯端末１０５、第三携帯端末１０６などを指定するために表示されてもよい。なお、例えば、第二携帯端末１０５を示すアイコンにドラッグした場合は、大型表示装置に表示されるのではなく、特定した第二携帯端末１０５に画像データを転送する。この構成では、複数の携帯端末同士の画像データの共有がより簡便となる。
【００９８】
＜５．第５の実施の形態＞
図１１は、第５の実施の形態における画像閲覧システム１における、携帯端末の操作方法を示す図である。第５の実施の形態では、調停端末の操作を行うことなく、複数の携帯端末が有する画像データを、大型表示装置において、並べて表示する形態について説明する。
【００９９】
図中、第一携帯端末１０４と第二携帯端末１０５とのそれぞれが、大型表示装置１０１で表示させたい画像データ２０１、２０３を選択している。ここで、第一携帯端末１０４と第二携帯端末１０５とにおいて、第一携帯端末１０４と第二携帯端末１０５とを操作する二人の利用者が、示し合わせて、同時に、画像データ２０１が表示されている第一携帯端末１０４と、画像データ２０３が表示されている第二携帯端末１０５に対するフリック動作を行った場合の処理について説明する。
【０１００】
なお、ここで「同時」とは、フリックの動作のタイミングが完全に一致している必要はなく、利用者にとって同時であると思える程度に、誤差を含むものであってよい。また、偶然にタイミングが一致してしまうことを避けるためには、少なくとも、第一携帯端末１０４を操作する利用者Ａと第二携帯端末１０５を操作する利用者Ｂとが、示し合わせてタイミングを合わせなければ実現できない程度に、誤差を含まないものであれば、より好適である。
【０１０１】
上述のように、第一携帯端末１０４と第二携帯端末１０５とにおいて同時にフリック入力がそれぞれの入力受付部１２３、１３３に対して行われた場合、大型表示装置１０１は、表示の指示が第一携帯端末１０４および第二携帯端末１０５から同時期に発信されたことを認識し、第一携帯端末１０４および第二携帯端末１０５においてフリック入力の対象となった画像データが示す画像の両者を、同程度の大きさに拡大または縮小することにより調整し、並べて表示するようにしてもよい。
【０１０２】
本実施の形態では、調停端末における特殊な操作を行うことなく、より簡易な方法で、並べて表示させたい画像を指定することが可能となる。
【０１０３】
＜６．第６の実施の形態＞
図１２は、第６の実施の形態における画像閲覧システム１ｂの機能ブロック図である。第６の実施の形態では、大型表示装置１０１ｂの大型薄型テレビジョン１０２ｂがテレビ放送を受信可能な放送受信部１１５を有していることが第１〜第５の実施の形態における画像閲覧システム１、１ａの大型表示装置１０１とは異なる。なお、第１〜第５の実施の形態における、大型薄型テレビジョン１０２は、放送受信部１１５を有していてもよい。
【０１０４】
第一表示制御部１１４は、放送受信部１１５により受信されたテレビ放送を大型ディスプレイ１１１に表示させている場合において、複数の携帯端末１０４〜１０６のいずれかから第一指示を受け付けたときに、当該第一指示による画像を大型ディスプレイ１１１に表示させる。
【０１０５】
具体的には、利用者がテレビ放送を大型表示装置１０１ｂの大型ディスプレイ１１１に表示させているときに、第１〜第５の実施の形態において説明した第一指示を携帯端末１０４〜１０６のいずれかが行うことにより、当該第一指示による画像を大型ディスプレイ１１１に表示させる。つまり、大型表示装置１０１ｂが画像閲覧方法による画像閲覧をするためのアプリケーションを起動させていなくても、上記第１〜第５の実施の形態において説明した画像閲覧を行うことができる。
【０１０６】
＜７．第７の実施の形態＞
図１３は、第７の実施の形態における画像閲覧システムにおける、大型ディスプレイ１１１に表示させるアプリケーションのアイコンを示す図である。第７の実施の形態では、第１の実施の形態において説明したように、ネットワークに接続した携帯端末が調停端末であるか否かの判定結果に応じて、ネットワークに接続した携帯端末から操作可能なアプリケーションのアイコンを変更する。
【０１０７】
具体的には、第一携帯端末１０４が、ネットワークに接続されて、大型表示装置１０１に表示されるアプリケーションを操作する場合を考える。第一携帯端末１０４は、調停端末として大型表示装置１０１に認識されるため、すべてのアプリケーションのアイコンＡ〜Ｌが操作可能となる。
【０１０８】
ここで、第二携帯端末１０５が、ネットワークに接続されて、大型表示装置１０１に表示されるアプリケーションを操作しようとする場合、第二携帯端末１０５はゲスト端末であるため、すべてのアプリケーションを操作することはできず、例えば、図１３に示すように、ゲスト用の画面が大型ディスプレイ１１１に表示される。つまり、ゲスト端末がネットワークに接続されて、ゲスト端末の接続が大型表示装置１０１に認識された場合に、大型ディスプレイ１１１の画面は、所有者用の画面領域Ａ１と、ゲスト用の画面領域Ａ２とに分割される。そして、所有者用の画面領域Ａ１には、すべてのアプリケーションを示すアイコンＡ〜Ｌが、第一携帯端末１０４から操作可能な状態で表示され、ゲスト用の画面領域Ａ２にはゲスト用に使用が許されたアプリケーションＡ、Ｄ、Ｉのみが第二携帯端末１０５から操作可能な状態で表示される。
【０１０９】
なお、この場合に、ゲスト用に使用が許されたアプリケーションＡ、Ｄ、Ｉは、例えば、ウェブの閲覧が可能なブラウザであり、ゲスト用の第二携帯端末１０５に記憶されている画像を表示させるための画像閲覧ソフトなどの所有者の利益を損ねないアプリケーションが想定される。
【０１１０】
第７の実施の形態のようにゲスト用の第二携帯端末１０５により接続された場合に、ゲスト用に使用が許されたアプリケーションを示すアイコンＡ、Ｄ、Ｉを表示させることにより、所有者が他人に勝手に起動された場合に不利益を被るアプリケーションの使用を制限でき、かつ、ゲストとして認識された利用者は大型表示装置１０１に表示される画像閲覧ソフトなどのアプリケーションを手軽に利用できる。
【０１１１】
以上、本発明の一つまたは複数の態様に係る画像閲覧システム、調停端末、画像閲覧方法および調停方法について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【産業上の利用可能性】
【０１１２】
本発明は、複数の利用者のそれぞれがスマートフォンを所持している場合に、他の利用者に不快感を与えることなく、大型テレビを利用した画像閲覧を可能とし、複数の小型端末に格納された画像データを複数人で円滑に閲覧することができ、小型端末に保存されている画像を大型表示装置に表示させるデジタル画像閲覧システム等として有用である。
【符号の説明】
【０１１３】
１、１ａ、１ｂ  画像閲覧システム
１０１、１０１ｂ、５０１    大型表示装置
１０２、１０２ｂ    大型薄型テレビジョン
１０３    セットトップボックス
１０４、１０４ａ    第一携帯端末
１０５、１０５ａ    第二携帯端末
１０６、１０６ａ    第三携帯端末
１０７    無線ＬＡＮステーション
１１１  大型ディスプレイ
１１２  調停端末決定部
１１３  表示指示受付部
１１４  第一表示制御部
１１５  放送受信部
１２１、１３１  記憶部
１２２、１３２  表示指示部
１２３、１３３  入力受付部
１２４、１３４  第二表示制御部
１２５、１３５  小型ディスプレイ
１２６、１３６  方向判定部
２０１、２０３、２０５    画像データ
２０２、２０７、３０３、４０２、４０３    画像
２０４、２０６、６０１、６０２    アイコン
２０８    インデックス
３０１、３０２、６０３    矢印
４０１    移動距離
【図１】
2014030178.tif 000003
【図２】
2014030178.tif 000004
【図３】
2014030178.tif 000005
【図４】
2014030178.tif 000006
【図５】
2014030178.tif 000007
【図６】
2014030178.tif 000008
【図７】
2014030178.tif 000009
【図８】
2014030178.tif 000010
【図９】
2014030178.tif 000011
【図１０】
2014030178.tif 000012
【図１１】
2014030178.tif 000013
【図１２】
2014030178.tif 000014
【図１３】
2014030178.tif 000015